(57)【要約】 【課題】    光変調素子の高寿命化を実現することが可能な画像表示装置および画像表示方法を提供すること。【解決手段】画像表示装置１０を、画像全体の総輝度値を検出する総輝度値検出手段１２１と、総輝度値が所定のレベルを超えたか否かを検出するレベル検出手段１２２と、レベル検出手段１２２が所定のレベルを超えたことを検出した場合、総輝度値の関数に基づいて光変調素子を構成する液晶パネル４Ｒ，４Ｇ，４Ｂへ入射する照明光量を低下させる処理を行う入射光レベル低下処理手段とを備えて構成した。この構成により、全体的に明るいシーンで、画像全体の光量を減少させるように作用するので、画像表示装置の発熱を軽減でき、光変調素子の寿命を延ばすことができる。【選択図】 図２
2006235157.tif 000002
【特許請求の範囲】
【請求項１】
画像全体の総輝度値を検出する総輝度値検出手段と、
前記総輝度値が所定のレベルを超えたか否かを検出するレベル検出手段と、
前記レベル検出手段が所定のレベルを超えたことを検出した場合、総輝度値の関数に基づいて光変調素子へ入射する光源からの照明光量を低下させる処理を行う入射光レベル低下処理手段とを備えている
ことを特徴とする画像表示装置。
【請求項２】
請求項１に記載の画像表示装置において、
前記レベル検出手段は、前記総輝度値が所定のレベルを下回ったか否かを検出可能に設けられ、
前記入射光レベル低下処理手段は、前記レベル検出手段が所定のレベルを下回ったことを検出した場合、光源からの照明光量を低下させる処理を実行する
ことを特徴とする画像表示装置。
【請求項３】
請求項１または請求項２に記載の画像表示装置において、
前記総輝度値検出手段は、各画素の輝度値の表示画面全体の総和から前記総輝度値を検出する
ことを特徴とする画像表示装置。
【請求項４】
請求項１または請求項２に記載の画像表示装置において、
前記光源からの照明光量を調整する照明光量調整装置を備えている
ことを特徴とする画像表示装置。
【請求項５】
符号化され表示情報の直流成分から画像全体の総輝度値を検出する総輝度値検出手段と、
前記総輝度値が所定のレベルを超えたか否かを検出するレベル検出手段と、
前記レベル検出手段が所定のレベルを超えたことを検出した場合、総輝度値の関数に基づいて光変調素子へ入射する光源からの照明光量を低下させる処理を行う入射光レベル低下処理手段とを備えている
ことを特徴とする画像表示装置。
【請求項６】
画像全体の総輝度値を検出するステップと、
前記総輝度値が所定のレベルを超えたか否かを検出するステップと、
前記総輝度値が所定のレベルを超えたことが検出された場合、総輝度値の関数に基づいて調光制御を行い、光源からの照明光量を低下させるステップとを含む
ことを特徴とする画像表示方法。
【請求項７】
符号化された表示情報の直流成分から画像全体の総輝度値を検出するステップと、
前記総輝度値が所定のレベルを超えたか否かを検出するステップと、
前記総輝度値が所定のレベルを超えたことが検出された場合、総輝度値の関数に基づいて調光制御を行い、光源からの照明光量を低下させるステップとを含む
ことを特徴とする画像表示方法。
【請求項８】
画像表示装置内のコンピュータを、画像全体の総輝度値を検出する総輝度値検出手段と、
前記総輝度値が所定のレベルを超えたか否かを検出するレベル検出手段と、
前記レベル検出手段が所定のレベルを超えたことを検出した場合、総輝度値の関数に基づいて光変調素子へ入射する光源からの照明光量を低下させる処理を行う入射光レベル低下処理手段として機能させる
ことを特徴とするプログラム。
【発明の詳細な説明】
【技術分野】
【０００１】
本発明は、画像表示装置、画像表示方法、およびプログラムに関する。
【背景技術】
【０００２】
近年、マルチメディアの発達に伴い表示装置は、より高精細かつ大画面の方向に開発が進められている。例えば、４０インチ以上の大型の直視型液晶表示装置や背面投射型表示装置や高輝度の画像表示装置などである。
これらの大型の画像表示装置はダイナミックレンジやコントラスト比を大きくするために、バックライトやランプの光源の出力を大きくし、さらに高輝度化が進んでいる。しかしこれらの画像表示装置では、バックライトやランプ光源の出力は常に一定で全ての画像を映し出すようになっているため、このような大型で高輝度の画像表示装置を長年使用することで、例えば、ライトバルブ等の素子が過熱し、変色したり、寿命が縮むなどの問題が有った。
【０００３】
一方、従来より、以下のような、バックライトやランプ光源からの光量を調光する構造の画像表示装置が知られている。
例えば、外光照度に応じてバックライト光源の間欠駆動或いは液晶表示パネルへの黒書込み駆動を制御することにより、動きぼけの防止による画質向上に加えて表示輝度変調によるユーザにとって見やすい画像表示を実現するようにした画像表示装置が知られている（例えば、特許文献１参照）。
また、液晶を使用した表示装置において、階調再現性や色再現性がよく、経時的に安定で温度変化の影響も受けにくい階調表示を得られるようにした画像表示装置が知られている（例えば、特許文献２参照）。
さらに、装置全体の小型化が容易で高コントラストでシャープな投影画像が容易に得られ、良好なる観察画像が得られるようにした投射型の画像表示装置が知られている（例えば、特許文献３参照）。
【０００４】
【特許文献１】特開２００４−１５７３７３号公報（第５頁、図２１）
【特許文献２】特開２００１−１７５２１６号公報（第１頁、図１０）
【特許文献３】特開２００１−１７４９１９号公報（第４頁、図１）
【発明の開示】
【発明が解決しようとする課題】
【０００５】
しかし、上記各特許文献における調光の目的は、画像が全体的に暗い画像（シーン）のコントラストを高めるために、そのような画像に対して光変調素子への照明光量を低くしてコントラストを高める。または周囲の環境光に合わせて光量を調整する。液晶素子の特性である動画ぼけを抑えるために、光源のＰＷＭ（Pulse Width Modulation）変調を行う、ということである。そのため、光学系の素子寿命の観点での調光はなされていないという問題があった。
【０００６】
そこで本発明の目的は、光変調素子の高寿命化を実現することが可能な画像表示装置、画像表示方法、およびプログラムを提供することにある。
【課題を解決するための手段】
【０００７】
本発明の画像表示装置は、画像（静止画像および動画像を含む）全体の総輝度値を検出する総輝度値検出手段と、前記総輝度値が所定のレベルを超えたか否かを検出するレベル検出手段と、前記レベル検出手段が所定のレベルを超えたことを検出した場合、総輝度値の関数に基づいて光変調素子へ入射する光源からの照明光量を低下させる処理を行う入射光レベル低下処理手段とを備えていることを特徴とする。
この発明によれば、全体的に明るいシーンでは、総輝度値の関数に基づいて光源からの光量を減少させるので、画像表示装置の発熱を軽減でき、各素子の寿命を延ばすことができる。
【０００８】
本発明の画像表示装置では、前記レベル検出手段は、前記総輝度値が所定のレベルを下回ったか否かを検出可能に設けられ、前記入射光レベル低下処理手段は、前記レベル検出手段が所定のレベルを下回ったことを検出した場合、光源からの照明光量を低下させる処理を実行することを特徴とする。
この発明によれば、暗いシーンにおける照明光量をも小さくしたので、画像表示装置の発熱を軽減でき、各素子の寿命を一層延ばすことができる。また、一般に、暗いシーンで照明光量を小さくすると、光量の大きい明るいシーンから暗いシーンに切り替わった場合に、光量の変化が大きくて見づらいのであるが、明るいシーンでも幾分光量を小さくしているので、光量の差を小さくでき、一層見易い画像にできる。
【０００９】
本発明の画像表示装置では、前記総輝度値検出手段は、各画素の輝度値の表示画面全体の総和から前記総輝度値を検出することを特徴とする。
この発明では、総輝度値を、各画素の輝度値の表示画面全体の総和から求めるようにしたので、客観的な光量を正確に検出することができる。
【００１０】
本発明の画像表示装置では、前記光源からの照明光量を調整する照明光量調整装置を備えていることを特徴とする。
この発明では、光源自身の光量を一定とし、照明光量調整装置を制御することで光変調素子への光量を調整するので、高速に変化させることが難しい光源に対して、照明光の光量の調整を有効に行える。
【００１１】
本発明の画像表示装置は、符号化された表示情報の直流成分（ＤＣ成分）から画像全体の総輝度値を検出する総輝度値検出手段と、前記総輝度値が所定のレベルを超えたか否かを検出するレベル検出手段と、前記レベル検出手段が所定のレベルを超えたことを検出した場合、総輝度値の関数に基づいて光変調素子へ入射する照明光量を低下させる処理を行う入射光レベル低下処理手段と、を備えたことを特徴とする。
この発明では、表示情報がＭＰＥＧ（Motion Pictures Expert Group）やＪＰＥＧ（Joint Photographic Expert Group）などのように符号化された表示情報の場合、符号化された表示情報の直流成分から画像全体の総輝度値を検出するようにしたので、より早く総輝度値を求めることができる。
【００１２】
本発明の画像表示方法は、画像全体の総輝度値を検出するステップと、前記総輝度値が所定のレベルを超えたか否かを検出するステップと、前記総輝度値が所定のレベルを超えたことが検出された場合、総輝度値の関数に基づいて調光制御を行い、光源からの照明光量を低下させる処理を行うステップと、を含むことを特徴とする。
この発明は、前述した画像表示装置を用いて行う方法であるから、本発明の画像表示装置と同様な前述の作用効果を奏する。
【００１３】
本発明の画像表示方法は、符号化された表示情報の直流成分（ＤＣ成分）から画像全体の総輝度値を検出するステップと、前記総輝度値が所定のレベルを超えたか否かを検出するステップと、前記総輝度値が所定のレベルを超えたことが検出された場合、総輝度値の関数に基づいて調光制御を行い、光源からの照明光量を低下させる処理を行うステップと、を含むことを特徴とする。
この発明も、前述した画像表示装置を用いて行う方法であるから、本発明の画像表示装置と同様な前述の作用効果を奏する。
【００１４】
本発明のプログラムは、画像表示装置内のコンピュータを、画像全体の総輝度値を検出する総輝度値検出手段と、前記総輝度値が所定のレベルを超えたか否かを検出するレベル検出手段と、前記レベル検出手段が所定のレベルを超えたことを検出した場合、総輝度値の関数に基づいて光変調素子へ入射する光源からの照明光量を低下させる処理を行う入射光レベル低下処理手段として機能させることを特徴とする。
この発明のプログラムを前述した画像表示装置のコンピュータで実行させることにより、本発明の画像表示装置と同様な前述の作用効果を奏する。
【発明を実施するための最良の形態】
【００１５】
（第１実施形態）
以下、本発明の第１実施形態を図面に基づいて説明する。
図１〜図３には、本実施形態の投写型の画像表示装置１０が示されている。図１は、光変調素子として液晶ライトバルブを用い、光変調素子への照明光量を調整するために、光源をＲＧＢ各色の固体光源（ＬＥＤ(Light Emitting Ddiode)光源）を用いた場合の画像表示装置１０の光学系の平面図である。図２は、画像表示装置１０のブロック図である。図３は、画像表示装置１０の動作を示すフローチャートである。
【００１６】
〔画像表示装置の光学系の構成〕
図１において、本実施形態における画像表示装置１０の光学系は、ダイクロイックプリズム１、赤色固体光源２Ｒ、緑色固体光源２Ｇ、青色固体光源２Ｂ、偏向板３、液晶パネル４Ｒ、液晶パネル４Ｇ、液晶パネル４Ｂ、投射レンズ５により構成される。なお、液晶パネル４Ｒ，４Ｇ，４Ｂに偏向板３が取り付けられることで液晶ライトバルブが構成される。
【００１７】
赤色固体光源２Ｒより射出された光は偏向板３および透過型の液晶パネル４Ｒを介してダイクロイックプリズム１へ、緑色固体光源２Ｇより射出された光は透過型の偏向板３および液晶パネル４Ｇを介してダイクロイックプリズム１へ、青色固体光源２Ｂより射出された光は偏向板３および透過型の液晶パネル４Ｂを介してダイクロイックプリズム１へ、それぞれ射出される。液晶パネル４Ｒ、液晶パネル４Ｇ、液晶パネル４Ｂは、映像信号に応じて偏光状態の変化として光学像を形成する。
【００１８】
ダイクロイックプリズム１は、４個の三角プリズムを接合したものであり、接合面を構成するダイクロイックプリズム１の斜面にＸ字状に交差するように赤反射ダイクロイック多層膜と青反射ダイクロイック多層膜を蒸着したものである。ダイクロイックプリズム１に入射した各原色は、ダイクロイックプリズム１により１つの光に合成された後、投射レンズ５に入射し、液晶パネル４Ｒ、液晶パネル４Ｇ、液晶パネル４Ｂに形成された光学像は、投射レンズ５によりスクリーン６上に拡大投射される。
【００１９】
また、本実施形態における画像表示装置１０は、図２に示すように、前述の固体光源２Ｒ，２Ｇ，２Ｂおよび液晶パネル４Ｒ，４Ｇ，４Ｂの他、種々のハードウェアを表示情報入力部１１、表示情報処理部１２、固体光源駆動部１３、表示駆動部１４Ｒ，１４Ｇ，１４Ｂ、並びに表示情報処理部１２に含まれる総輝度値検出手段１２１、レベル検出手段１２２、入射光レベル低下処理手段１２３として機能させるコンピュータプログラムを備えている。
【００２０】
表示情報入力部１１は、ＰＣ（Personal Computer），ＤＶＤ（Digital Versatile Disk）プレーヤなどから表示情報を入力し、圧縮されたデジタルデータの場合はデコード等の処理を行い、アナログ信号の場合はＡ／Ｄ変換等の処理を行い、ＲＧＢの画像信号に変換して、表示情報処理部１２に供給する。
【００２１】
表示情報処理部１２は、光変調素子へ照射させる照明光量を決定するとともに、照明光量に応じた調整信号を固体光源駆動部１３に送る機能と、表示情報に色補正（γ処理、色むら補正等）の処理を行い、各色の液晶パネル４Ｒ，４Ｇ，４Ｂの表示駆動部１４Ｒ，１４Ｇ，１４Ｂに各色の補正された画像データを送る機能とを有する。
【００２２】
固体光源駆動部１３は、表示情報処理部１２からの照明光量の調整信号に基づいて、各色の固体光源２Ｒ，２Ｇ，２Ｂを制御して、ＰＷＭ変調等にて照明光量を調整する。すなわち、固体光源２Ｒ，２Ｇ，２Ｂ自身からの出射光量を制御するのである。
【００２３】
表示駆動部１４Ｒ，１４Ｇ，１４Ｂは、表示情報処理部１２からの画像データに基づいて駆動信号を生成し、液晶パネル４Ｒ，４Ｇ，４Ｂを駆動する。
【００２４】
表示情報処理部１２の総輝度値検出手段１２１は、現在のフレームの表示情報からヒストグラムデータを作成し、このヒストグラムに基づいて画面全体の総輝度値を検出する。  レベル検出手段１２２は、検出された総輝度値が予め決められている上限値を超えたか、また予め決められている下限値を下回ったかを検出する。
入射光レベル低下処理手段１２３は、レベル検出手段１２２での検出結果に基づき、各色の液晶パネル４Ｒ，４Ｇ，４Ｂへの照明光量を通常値（最大値）より低下させるような調整信号を固体光源駆動部１３に出力する。
【００２５】
〔画像表示装置の動作〕
次に、動作について図３ないし図８を参照して説明する。なお、図４ないし図８は出力画像の輝度値を調整するための概念図である。
画像表示装置１０の表示情報処理部１２を構成する総輝度値検出手段１２１は先ず、１フレーム分の総輝度値（輝度値と画素数を掛けた値）を表示情報（の輝度データ）からヒストグラムデータ（図４（Ａ）のヒストグラム参照）を生成することにより取得する（ステップＳ１）。
【００２６】
次に、表示情報処理部１２のレベル検出手段１２２は、取得した総輝度値が上限のしきい値ＵＬより大きいか否かを判断する（ステップＳ２）。
総輝度値がしきい値ＵＬより大きかった場合、入射光レベル低下処理手段１２３は、総輝度値の関数（総輝度値がしきい値ＵＬより大きければ大きいほど照明光量を減少させる減少関数）に基づいて調光制御を行う。具体的には、図８に示すように、固体光源駆動部１３が各色の固体光源２Ｒ，２Ｇ，２Ｂを制御して照明光量を減少させる（ステップＳ３）。
【００２７】
なお、図４（Ｂ）の点線は、照明光量を最大にして用いた従来の場合での画素からの出力光量（出力値）を示しており、実線は、照明光量を減少させた本実施形態での出力光量を示している。そして、本実施形態では、この図から明らかなように、画素を通して出力される出力光量は従来に比してわずかに少ないだけであり、コントラストを悪化させるほど減少させているわけではない。また、図４（Ａ）に示した輝度レンジｉ１〜ｉ２を実現させるための画素側（図４（Ｂ））の階調レンジ（ダイナミックレンジ）ｉ１′〜ｉ２′は、同じレンジ幅であり、階調データの変更は不要である。
【００２８】
次に、レベル検出手段１２２は、取得した総輝度値が下限のしきい値ＬＬより小さいか否かを判断する（ステップＳ４）。
総輝度値が図８に示すしきい値ＬＬより小さかった場合（図５（Ａ）のヒストグラムデータが生成された場合等）に、入射光レベル低下処理手段１２３は、固体光源駆動部１３を制御して照明光量を大きく減少させ、かつ階調データを変更して、図７（Ｂ）に示す本来の階調レンジｉ１′〜ｉ２′を図５（Ｂ）に示すような階調レンジｉ１′〜ｉ２′に広げ、より多くの階調で図５（Ａ）に示す輝度レンジｉ１〜ｉ２を実現させる（ステップＳ５）。なお、総輝度数が小さくとも、ヒストグラムとして所謂離れ小島型の場合、すなわち高輝度値の画素が低輝度値の画素の集団から離れ小島的に存在する場合には、液晶ライトバルブへの照明光量の調整にあたって、画像データの総輝度値に加え、輝度値（ＲＧＢ値）の最大値や、この最大値から数％の輝度値（ＲＧＢ値）を考慮する場合もある。
【００２９】
ここで、図５の場合は、照明光量を小さくすることで全体の暗さを表現しているが、階調レンジをｉ１′〜ｉ２′と増加させているうえ、最大輝度を持つ画素の明るさが、十分に明るくなるように照明光量を設定しているので、コントラストが良好となって暗いシーンでも見易くなるのである。また、図５の場合では、暗いシーンでの照明光量を小さくしているので、明るいシーンから急に暗いシーンに切り替わった場合には、ユーザの目に入る光量の変化が大きいのであるが、本実施形態では図４で説明したように、明るいシーンでも照明光量を減少させているので、光量の差をいく分小さくでき、より一層見易くできる。
【００３０】
また、ステップＳ２，ステップＳ５の判断が共にＮであった場合には、図６（Ｂ）に示すように、１フレーム中には明るい画素から暗い画素まで平均的に存在すると判断されるため、図６（Ｂ）に示す如くに照明光量や階調データの変更は行わず、次のフレームの総輝度値の取得（ステップＳ１）を実施する。
【００３１】
〔実施形態の効果〕
（１）従って、本実施形態の画像表示装置１０によれば、画像の全体的に明るいシーン（画像）で、全体の照明光量を小さくするようにしたので、光変調素子等の発熱を少なくでき、素子の高寿命化が図れる。
【００３２】
（２）しかも、全体的に暗いシーン（画像）でも、全体の照明光量を小さくするから、素子の一層の高寿命化を実現できる。
【００３３】
（３）また、画像の全体的に暗いシーンでも全体の照明光量を小さくするようにし、かつ入力データの階調を増加させたので、暗いシーンでもコントラストを良好にでき、見やすい画像を提供できる。
【００３４】
（４）また、暗いシーンで照明光量を小さくすると、光量の大きい明るいシーンから光量の小さい暗いシーンに切り替わった場合に、光量の変化が大きくて見づらいのであるが、本実施形態では、明るいシーンでも幾分光量を小さくしているので、光量の差を小さくでき、一層見易い画像にできる。
【００３５】
（５）また、本実施形態では、固体光源２Ｒ，２Ｇ，２Ｂを使用しているため、全体の照明光量を小さくする際には、固体光源へ供給する電気エネルギーを小さくすることができ、固体光源自体の発熱を抑えることができるうえ、消費電力を小さくできる。
【００３６】
（６）さらに、総輝度値を、各画素の輝度値の表示画面全体の総和から求めるようにしたので、客観的な光量を正確に検出できる。
【００３７】
（第２実施形態）
図９、図１０には、本発明の第２実施形態に係る画像表示装置１０が示されている。
図９は、電気的に光透過率を変化させる照明光量調整装置１０３を用いて光量を調整する場合の光学系の平面図である。図１０は、画像表示装置１０のブロック図である。なお、本実施形態の構成において、前述した第１実施形態と同じ構成には同一符号を付し、それらの説明を省略または簡略化する。
【００３８】
図９において、本実施形態における光学系は、メタルハライドランプ、ハロゲンランプ、高圧水銀ランプ等の気体発光光源からなる光源１００、インテグレータレンズ１０１、偏光変換素子１０２、照明光量調整装置１０３、ダイクロイックミラー１０４，１０５、偏向板３、液晶パネル４Ｒ、液晶パネル４Ｇ、液晶パネル４Ｂ、投射レンズ５、集光レンズ１０８，１０９、反射板１１０，１１１，１１２、投射レンズ５、ダイクロイックプリズム１により構成される。
【００３９】
光源１００を射出した光は、インテグレータレンズ１０１、偏光変換素子１０２、照明光量調整装置１０３で構成される照明光学系を透過した後、赤透過ダイクロイックミラー１０４、緑反射ダイクロイックミラー１０５、反射板１１２で構成される色分離光学系に入射し、赤、緑、青の原色光に分解される。青の原色光は、第１の集光レンズ１０８、第２の集光レンズ１０９、２枚の反射板１１０，１１１で構成されるリレー光学系に入射する。色分離光学系を射出した赤および緑の原色光と、リレー光学系を射出した青の原色光は、それぞれ偏向板３を透過した後、液晶パネル４Ｒ、液晶パネル４Ｇ、液晶パネル４Ｂに入射する。光源１００から各液晶パネル４Ｒ、液晶パネル４Ｇ、液晶パネル４Ｂまでの光路長は青の光路だけ他の光路より長いが、２枚の集光レンズ１０８，１０９が発散しようとする光を内側に収束させるので、光路長が長くても光が青の液晶パネル４Ｂまで効率良く伝達される。
【００４０】
また、本実施形態の特徴として、画像表示装置１０は、図１０に示すように、照明光量調整装置１０３を駆動するための照明光量調整駆動部１１３を備えている。
照明光量調整装置１０３は、例えば光絞り機構やエレクトロクロミックガラス等で構成され、光源１００の光射出側に配置されている。
照明光量調整駆動部１１３は、表示情報処理部１２から送られた照明光量の調整信号に基づいて、照明光量調整装置１０３を制御して、照明光量を調整する。
【００４１】
次に、動作についてであるが、本実施形態では、第１実施形態と照明光量の制御方法が異なっている。すなわち、第１実施形態では、照明光量の調節を、表示情報処理部１２からの調整信号を基に、固体光源駆動部１３が各色の固体光源２Ｒ，２Ｇ，２Ｂの発光量を調整することで行っていたが、本実施形態では、照明光量の調節を同じく表示情報処理部１２からの調整信号を基に、照明光量調整駆動部１１３が照明光量調整装置１０３を制御して光源１００からの光量を調整することで行っている。つまり、本実施形態では、光源１００自身が射出する照明光量は一定であり（常時最大）、これを照明光量調整装置１０３で遮光等することで光変調素子への照射量を調整しているのである。その他の動作は同一であるので説明は省略する。
【００４２】
このような本実施形態では、光源１００自身の光量を減少させることはないので、第１実施形態における消費電力を減少させる効果はないが、その他の作用効果については、第１実施形態と同様に得ることができる。
【００４３】
また、本実施形態では、光源１００の光量は一定としたまま、照明光量調整装置１０３にて照明光量の調整を行うようにしたので、光量を高速に変化させることが難しい光源１００に対して、調整を有効に行える。
【００４４】
（変形例）
なお、本発明は前述の実施形態に限定されるものではなく、本発明の目的を達成できる範囲での変形、改良等は本発明に含まれるものである。
例えば、前記実施形態では、画像表示装置として投射型を例に説明したが、これに限定されることはなく、バックライトを用いた直視型の液晶表示装置や背面投射型表示装置などに適用可能である。
【００４５】
前記実施形態では、総輝度値の求め方として、各画素の輝度値と画素数を掛けた値の総和から求める場合を例に説明したが、これに限定されることなく、例えば、ＪＰＥＧ、ＭＰＥＧ等の符号化されたデータの場合、ＤＣＴ（Discrete Cosine Transform、離散コサイン変換）係数の先頭にあたる部分、つまり量子化行列のいちばん左上のセルであるが、ここはＤＣＴ後の定数項にあたり、波形全体の平均値を表す成分（ＤＣ成分という）が含まれているので、この部分、すなわちＤＣ成分（直流成分）から総輝度値を求めるようにしてもよい。
【００４６】
前記実施形態では、総輝度値が下限のしきい値ＬＬより小さかった場合（図５（Ａ）のヒストグラムデータが生成された場合等）には、照明光量を大きく減少させ、かつ階調データを変更して階調レンジｉ１′〜ｉ２′に広げるように制御したが（図５（Ｂ）参照）、照明光量を減少させず、階調レンジｉ１′〜ｉ２′も本来のまま（図７（Ｂ）参照）としてもよい。
また、光変調素子として液晶ライトバルブを例に説明したが、これに限定されることはなく、ＤＭＤ（Digital Micro mirror Device）、反射型液晶パネル（ＬＣＯＳ：Liquid Crystal on Silicon）などでもよい。
【００４７】
さらに、本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００４８】
本発明は、プレゼンテーションやホームシアターに用いられる画像表示装置として利用することができる。
【図面の簡単な説明】
【００４９】
【図１】本発明の第１実施形態に係る画像表示装置の光学系を示す平面図。
【図２】第１実施形態の画像表示装置を示すブロック図。
【図３】第１実施形態の画像表示装置での動作を示すフローチャート。
【図４】出力画像の輝度値を調整するための概念図である。
【図５】出力画像の輝度値を調整するための概念図である。
【図６】出力画像の輝度値を調整するための概念図である。
【図７】出力画像の輝度値を調整するための概念図である。
【図８】出力画像の輝度値を調整するための概念図である。
【図９】本発明の第２実施形態に係る画像表示装置の光学系を示す平面図。
【図１０】第２実施形態の画像表示装置を示すブロック図。
【符号の説明】
【００５０】
２Ｒ…赤色固体光源、２Ｇ…緑色固体光源、２Ｂ…青色固体光源、３…偏向板、４Ｒ，４Ｇ，４Ｂ…液晶パネル、１０…画像表示装置、１００…光源、１２１…総輝度値検出手段、１２２…レベル検出手段、１２３…入射光レベル低下処理手段。
【図１】
2006235157.tif 000003
【図２】
2006235157.tif 000004
【図３】
2006235157.tif 000005
【図４】
2006235157.tif 000006
【図５】
2006235157.tif 000007
【図６】
2006235157.tif 000008
【図７】
2006235157.tif 000009
【図８】
2006235157.tif 000010
【図９】
2006235157.tif 000011
【図１０】
2006235157.tif 000012